(57)【特許請求の範囲】
【請求項１】
ステアリングシャフトが挿通されるシャフト側ケースに複数の固定部を有する取付部を設け、前記ステアリングシャフトを施錠・解錠するロック機構を収容するロック側ケースに前記取付部に取り付けられる被取付部を設け、前記被取付部は、板状体に形成され、前記複数の固定部間に前記被取付部を配置し、前記ロック側ケースを回転させることにより前記被取付部が前記取付部に取り付けられ、前記複数の固定部間と前記被取付部には、前記ロック機構の帯板状のロッキングロッドが挿通される長口がそれぞれ設けられ、該各長口は前記取付部に前記被取付部が取り付けられた状態で一致することを特徴とするステアリングロック装置。
【請求項２】
請求項１記載のステアリングロック装置であって、
前記複数の固定部は、前記シャフト側ケースから立設され前記ロック側ケースの回転方向の移動を規制して前記被取付部を支持する支持壁と、前記被取付部を覆う覆壁とを備え、前記支持壁と対向する側に開口部を有することを特徴とするステアリングロック装置。
【発明の詳細な説明】
【技術分野】
【０００１】
本発明は、ステアリングシャフト側に取り付けられる取付構造を有するステアリングロック装置に関する。
【背景技術】
【０００２】
特許文献１には、ロック機構が支持されたリッドとロック機構を収容するロックボディとを備えたステアリングロック装置が記載されている。このステアリングロック装置では、ロック機構をリッドで支持することによって１つのユニットを構成し、このユニットをロックボディに収容してロックボディの開口部をリッドによって閉塞している。これにより、ロックボディ内でロック機構の組立作業をすることなく、ロック機構をロックボディ内に収容することができる。
【特許文献１】特開２００６−３６１０７号公報
【発明の開示】
【発明が解決しようとする課題】
【０００３】
ところで、上記のステアリングロック装置では、ロックボディのステアリングシャフトを支持する側に円弧面状の取付部を設け、この取付部に円弧面状のブラケットをボルトによって取り付けている。そして、ロックボディの取付部にブラケットを取り付けることによって円筒形状を成し、この円筒部の内部にステアリングシャフトを挿通している。
【０００４】
しかしながら、上記のような取付構造では、ロックボディの取付部のネジ穴に対してブラケットのネジ穴の位置決めを行った後、どちらか一方を固定してボルトを締結しなければならなかったので、ステアリングロック装置のステアリングシャフト側への取付作業が繁雑となっていた。
【０００５】
また、従来では、ステアリングロック装置とステアリングシャフトが挿通されたケースとが独立しているものもあるが、この場合、ステアリングロック装置をステアリングシャフト側のケースに対して４本のボルトによってネジ止めしており、ネジ止め作業が繁雑になると共に、部品点数が多くなっていた。
【０００６】
そこで、この発明は、取付作業性を向上することができると共に、部品点数を削減することができるステアリングロック装置の提供を目的としている。
【課題を解決するための手段】
【０００７】
請求項１の発明は、ステアリングシャフトが挿通されるシャフト側ケースに複数の固定部を有する取付部を設け、前記ステアリングシャフトを施錠・解錠するロック機構を収容するロック側ケースに前記取付部に取り付けられる被取付部を設け、前記被取付部は、板状体に形成され、前記複数の固定部間に前記被取付部を配置し、前記ロック側ケースを回転させることにより前記被取付部が前記取付部に取り付けられ、前記複数の固定部間と前記被取付部には、前記ロック機構の帯板状のロッキングロッドが挿通される長口がそれぞれ設けられ、該各長口は前記取付部に前記被取付部が取り付けられた状態で一致することを特徴とする。
【０００８】
請求項２の発明は、請求項１記載のステアリングロック装置であって、前記複数の固定部は、前記シャフト側ケースから立設され前記ロック側ケースの回転方向の移動を規制して前記被取付部を支持する支持壁と、前記被取付部を覆う覆壁とを備え、前記支持壁と対向する側に開口部を有することを特徴とする。
【発明の効果】
【００１０】
請求項１のステアリングロック装置は、ロック側ケースを回転させることによりシャフト側ケースに取り付けられるので、ネジ穴の位置決め行わずにロック側ケースをシャフト側ケースに取り付けることができ、取付作業性を向上することができる。
【００１１】
また、被取付部を取付部に取り付けた状態では、ロック側ケースを固定するために複数の固定部の少なくとも１つをネジ止めすれば良く、これにより部品点数を削減することができる。また、取付部と被取付部の長口が取付部に被取付部が取り付けられた状態で一致するので、帯板状のロッキングロッドが施錠位置にある場合、ロック側ケースを取付解除方向に回転させようとしても、取付部と被取付部の長口にロッキングロッドが挿通されており、ロック側ケースを回転させることができない。従って、ステアリングのロック状態では、ロック側ケースを取付解除方向に回転させることができず、防盗性を向上することができる。
【００１２】
請求項２のステアリングロック装置は、取付部の支持壁によって被取付部の回転を規制すると共に、覆壁によって被取付部を覆うので、被取付部を取付部に安定して取り付けることができる。
【発明を実施するための最良の形態】
【００１４】
図１乃至図５を用いて実施形態について説明する。
【００１５】
本実施形態のステアリングロック装置１は、ステアリングシャフト（不図示）が挿通されるシャフト側ケース３に一対の固定部１３、１３を有する取付部５を設け、ステアリングシャフト（不図示）を施錠・解錠するロック機構７を収容するロック側ケース９に取付部５に取り付けられる被取付部１１を設け、被取付部１１は、板状体に形成され、一対の固定部１３、１３間に被取付部１１を配置し、ロック側ケース９を回転させることにより被取付部１１が取付部５に取り付けられる。
【００１６】
図１乃至図５に示すように、シャフト側ケース３は、円筒部１５と基体部１７とを有し、円筒部１５と基体部１７とが一体に設けられている。円筒部１５の内部には、ステアリングシャフト（不図示）が挿通される。基体部１７には、取付部５が設けられている。
【００１７】
取付部５は、基体部１７上に一対の固定部１３、１３を有している。一対の固定部１３、１３は、支持壁１９と覆壁２１とで構成されている。支持壁１９は、基体部１７から立設されている。覆壁２１は、基体部１７から立設され支持壁１９と一体に設けられた部分と、支持壁１９の端部と基体部１７から立設された部分の端部とから基体部１７と平行に延設された部分とから構成されている。この支持壁１９と覆壁２１とによって固定部１３は、凹状に形成されて支持壁１９と対向する側に開口部２３を有している。また、一方の固定部１３には、ネジ穴２５が形成されている。さらに、基体部１７の一対の固定部１３、１３間には、ロック側ケース９に収容されたロック機構７のロッキングロッド２７が挿通される取付部側長口２９がステアリングシャフト（不図示）の軸方向に形成されている。
【００１８】
ロック側ケース９は、ロック機構７を収容し、取付部５に取り付けられる被取付部１１が設けられている。ロック機構７は、ステアリングシャフト（不図示）を施錠・解錠するロッキングロッド２７を有している。ロッキングロッド２７は、帯板状に形成され、モータ等の駆動源（不図示）によって施錠位置・解錠位置にスライドされ、施錠位置ではステアリングシャフト（不図示）と嵌合し、解錠位置ではステアリングシャフト（不図示）との嵌合が解除される。
【００１９】
被取付部１１は、直方体状に形成され、連結部３１でロック側ケース９と一体に設けられている。また、被取付部１１の幅は、一対の固定部１３、１３間の間隔とほぼ同等か僅かに小さく設定されている。さらに、被取付部１１の長手方向の一端部には、突起３３が突設されている。この突起３３は、被取付部１１が取付部５に取り付けられた状態で被取付部１１ががたつくのを防止するためのものである。さらに、被取付部１１の長手方向の他端部には、ネジ穴３５が形成されている。このネジ穴３５は、被取付部１１が取付部５に取り付けられた状態で固定部１３のネジ穴２５と一致する。また、被取付部１１には、ロッキングロッド２７が挿通される被取付部側長口３７が被取付部１１の長手方向に対して直交方向に形成されている。この被取付部側長口３７は、被取付部１１が取付部５に取り付けられた状態、すなわち、ロック側ケース９がシャフト側ケース３に取り付けられた状態で取付部側長口２９と一致するように設定されている。
【００２０】
次に、シャフト側ケース３へのロック側ケース９の取付について説明する。
【００２１】
まず、図２に示すように、シャフト側ケース３の一対の固定部１３、１３間にロック側ケース９の被取付部１１を配置する。このとき、シャフト側ケース３の取付部側長口２９とロック側ケース９の被取付部側長口３７とが一致しておらず、被取付部側長口３７は、取付部側長口２９に対して直交方向に配置されている。次に、図３に示すように、ロック側ケース９をステアリングシャフト（不図示）の軸方向と直交する方向、すなわち、図中の矢印方向に被取付部１１が一対の固定部１３、１３に入り込むように回転させる。
【００２２】
そして、図４に示すように、被取付部１１が一対の固定部１３、１３に入り込み、一対の固定部１３、１３の支持壁１９に当接することによってロック側ケース９の回転が規制され、被取付部１１が取付部５に取り付けられる。また、このとき、固定部１３のネジ穴２５と被取付部１１のネジ穴３５とが一致する。これにより、ネジ穴２５とネジ穴３５をネジ止めして、シャフト側ケース３にロック側ケース９を固定する。さらに、このとき、シャフト側ケース３の取付部側長口２９とロック側ケース９の被取付部側長口３７も一致する。これにより、図５に示すように、ロッキングロッド２７を施錠位置にスライドさせることができる。また、図５（ｂ）に示すように、ロッキングロッド２７が施錠位置にある場合、ネジ止めしていない状態でロック側ケース９を取付解除方向に回転させようとしても、帯板状のロッキングロッド２７と取付部側長口２９とが当接するため、ロック側ケース９を回転させることができない。このため、ステアリングのロック状態を解除することができず、防盗性が向上する。
【００２３】
なお、被取付部１１は、取付部５に取り付けられた状態で取付部５によって覆われていると共に、被取付部１１の突起３３によってがたつきが防止されているためネジ止めは１箇所で十分であるが、ネジ穴２５とネジ穴３５と対向する方向にネジ穴を設けて２箇所をネジ止めしても良い。この場合、より強固にロック側ケース９を固定することができる。
【００２４】
また、固定部１３の数を２つ以上にしても良く、この複数の固定部１３に合わせて被取付部１１の形状を設定すれば良い。例えば、固定部１３を３つとした場合、被取付部１１を三角形の板状体とし、３つの固定部１３間に被取付部１１を配置して、ロック側ケース９を回転させれば良い。
【００２５】
このようなステアリングロック装置１では、ロック側ケース９を回転させることにより被取付部１１がシャフト側ケース３の取付部５に取り付けられる。このとき、取付部５のネジ穴２５と被取付部１１のネジ穴３５とが一致するので、ネジ穴２５、３５の位置決め行わずにロック側ケース９をシャフト側ケース３に取り付けることができる。従って、ステアリングロック装置１の取付作業性を向上することができる。
【００２６】
また、被取付部１１を取付部５に取り付けた状態では、ロック側ケース９を固定するために少なくとも１箇所をネジ止めすれば良いので、ネジ等の部品点数を削減することができる。
【００２７】
さらに、被取付部１１は、取付部５に取り付けられた状態で取付部５によって覆われるので、被取付部１１を取付部５に安定して取り付けることができる。加えて、被取付部１１には、取付部５と被取付部１１とのがたつきを防止する突起３３が設けられているので、被取付部１１の取付状態がより安定する。
【００２８】
また、取付部５の取付部側長口２９と被取付部１１の被取付部側長口３７が取付部５に被取付部１１が取り付けられた状態で一致するので、帯板状のロッキングロッド２７が施錠位置にある場合、ロック側ケース９を取付解除方向に回転させようとしても、取付部側長口２９と被取付部側長口３７にロッキングロッド２７が挿通されており、ロック側ケース９を回転させることができない。従って、ステアリングのロック状態では、ロック側ケース９を取付解除方向に回転させることができず、防盗性を向上することができる。
【図面の簡単な説明】
【００２９】
【図１】（ａ）本実施形態のステアリングロック装置の上面図である。（ｂ）本実施形態のステアリングロック装置の側面図である。（ｃ）図１（ｂ）のＡ−Ａ断面図とシャフト側ケースの上面図である。
【図２】（ａ）本実施形態のステアリングロック装置の上面図である。（ｂ）本実施形態のステアリングロック装置の側面図である。（ｃ）図２（ａ）のＢ−Ｂ断面図である。（ｄ）図２（ｂ）のＣ−Ｃ断面図である。
【図３】（ａ）本実施形態のロック側ケースを回転させた上面図である。（ｂ）本実施形態のロック側ケースを回転させた側面図である。（ｃ）図３（ｂ）のＤ−Ｄ断面図である。
【図４】（ａ）本実施形態のロック側ケースをシャフト側ケースに取り付けた上面図である。（ｂ）本実施形態のロック側ケースをシャフト側ケースに取り付けた側面図である。（ｃ）図４（ｂ）のＦ−Ｆ断面図である。
【図５】（ａ）本実施形態のロッキングロッドの解錠位置の図４（ａ）のＥ−Ｅ断面図である。（ｂ）本実施形態のロッキングロッドの施錠位置の図４（ａ）のＥ−Ｅ断面図である。
【符号の説明】
【００３０】
１…ステアリングロック装置
３…シャフト側ケース
５…取付部
７…ロック機構
９…ロック側ケース
１１…被取付部
１３…固定部
１９…支持壁
２１…覆壁
２３…開口部
２７…ロッキングロッド
２９…取付部側長口
３７…被取付部側長口
【図１】
0004668107.tif 000002
【図２】
0004668107.tif 000003
【図３】
0004668107.tif 000004
【図４】
0004668107.tif 000005
【図５】
0004668107.tif 000006